(57)【要約】【課題】釣合い重りと釣瓶式に懸架された作業床上でエレベータの据付工事を実施する場合に、釣合い重り用ガイドレールの据付精度を大幅に向上させることができるエレベータの据付装置を得る。【解決手段】エレベータの懸架手段によって釣瓶式に懸架され、昇降路１内を互いに逆方向に昇降するかご３及び釣合い重り５と、かご３に設けられたエレベータ据付用の作業床７と、懸架手段及び釣合い重り５間に設けられ、作業床７からの操作により、作業床７を昇降させることなく釣合い重り５を昇降させる昇降手段とを備える。【選択図】図４
2008189410.tif 000002
【特許請求の範囲】
【請求項１】
エレベータの懸架手段によって釣瓶式に懸架され、昇降路内を互いに逆方向に昇降するかご及び釣合い重りと、
前記かごに設けられたエレベータ据付用の作業床と、
前記懸架手段及び前記釣合い重り間に設けられ、前記作業床からの操作により、前記作業床を昇降させることなく前記釣合い重りを昇降させる昇降手段と、
を備えたことを特徴とするエレベータの据付装置。
【請求項２】
昇降手段は、
釣合い重りの上方に配置された懸架手段に、前記懸架手段を把持することによって取り付けられた把持器と、
前記把持器及び前記釣合い重り間に設けられ、前記釣合い重りを前記把持器に対して昇降させる昇降装置と、
を備えたことを特徴とする請求項１に記載のエレベータの据付装置。
【請求項３】
昇降手段は、
釣合い重りに設けられて懸架手段が連結されるとともに、前記懸架手段が連結された状態で前記釣合い重りから取り外し可能な連結具と、
前記釣合い重りに設けられ、前記連結具よりも下方に配置された吊り上げ具と、
前記連結具及び前記吊り上げ具間に設けられ、前記釣合い重りを、前記釣合い重りから取り外された前記連結具に対して昇降させる昇降装置と、
を備えたことを特徴とする請求項１に記載のエレベータの据付装置。
【請求項４】
昇降装置は、
懸架手段に連結され、長手が上下方向に配置されたネジ棒と、
釣合い重りに設けられ、前記ネジ棒が挿通された支持具と、
前記ネジ棒に前記支持具の下方から螺嵌され、前記支持具を介して前記釣合い重りを支持するナットと、
を備えたことを特徴とする請求項１に記載のエレベータの据付装置。
【請求項５】
釣合い重りと釣瓶式に懸架されたかごの作業床から、レールゲージを用いて釣合い重り用ガイドレールを据え付けるエレベータの据付方法であって、
前記釣合い重りが所定のレールブラケットの設置高さに配置された場合に、前記作業床からの操作により、前記作業床を昇降させることなく前記釣合い重りを上下何れかに移動させる移動ステップと、
前記釣合い重りを前記レールブラケットの設置高さよりも上方又は下方に移動させた後、前記釣合い重りの移動を停止させる停止ステップと、
前記レールブラケットの設置高さにおいて前記レールゲージを前記釣合い重り用ガイドレールに宛がうことにより、前記釣合い重り用ガイドレールの芯出しを行う芯出しステップと、
を備えたことを特徴とするエレベータの据付方法。
【請求項６】
移動ステップは、
釣合い重りの上方に配置された懸架手段に、把持器を取り付けるステップと、
前記懸架手段に取り付けられた前記把持器及び前記釣合い重り間に、昇降装置を取り付けるステップと、
前記昇降装置により、前記釣合い重りを前記把持器に対して昇降させるステップと、
を備えたことを特徴とする請求項５に記載のエレベータの据付方法。
【請求項７】
移動ステップは、
懸架手段が連結され且つ釣合い重りに設けられた連結具、及び、前記連結具よりも下方で前記釣合い重りに設けられた吊り上げ具間に、昇降装置を取り付けるステップと、
前記連結具を、前記懸架手段が連結された状態で前記釣合い重りから取り外すステップと、
前記昇降装置により、前記釣合い重りを、前記釣合い重りから取り外された前記連結具に対して昇降させるステップと、
を備えたことを特徴とする請求項５に記載のエレベータの据付方法。
【請求項８】
エレベータの懸架手段によって釣瓶式に懸架され、昇降路内を互いに逆方向に昇降するかご及び釣合い重りと、
前記かごに設けられたエレベータ据付用の作業床と、
を備え、
前記釣合い重りは、
重りを支持するとともに、その幅が一対の釣合い重り用ガイドレール間距離よりも所定距離短い釣合い重り枠と、
前記釣合い重り枠の両側に設けられ、前記釣合い重り枠及び前記各釣合い重り用ガイドレール間に配置されるとともに、前記作業床からの操作により、前記釣合い重り枠に対して上下方向の複数の位置に配置可能な外枠と、
前記外枠に設けられたガイド手段と、
を備えたことを特徴とするエレベータの据付装置。
【請求項９】
エレベータの懸架手段によって釣瓶式に懸架され、昇降路内を互いに逆方向に昇降するかご及び釣合い重りと、
前記かごに設けられたエレベータ据付用の作業床と、
を備え、
前記釣合い重りは、
重りを支持するとともに、上下端部が釣合い重り用ガイドレールに近接して配置され、中間部の所定の範囲が、上下端部の幅よりも狭く前記釣合い重り用ガイドレールとの間に所定の幅の空間が形成された釣合い重り枠と、
前記釣合い重り枠の上下端部に設けられたガイド手段と、
を備えたことを特徴とするエレベータの据付装置。
【発明の詳細な説明】
【技術分野】
【０００１】
この発明は、エレベータの釣合い重り用ガイドレールを据え付ける際に使用される据付装置、及び、釣合い重り用ガイドレールを据え付ける際の据付方法に関するものである。
【背景技術】
【０００２】
エレベータの据付に関しては、従来から、昇降路内でかごと釣合い重りとを釣瓶式に懸架した後、かごの床面や天井面を作業床として利用し、昇降路内機器類の設置やガイドレールの芯出しを行う方法が採用されている。
【０００３】
また、このようなエレベータの据付に関する従来技術として、上下方向に連結された複数本の単位ガイドレールによって構成されるガイドレールの据付に際し、昇降路内で釣合い重りと釣瓶式に懸架されたかごのかご床を作業床として、最上部の単位ガイドレールを除く他の単位ガイドレールを芯出しして固定した後、かご室の上面を作業床として最上部の単位ガイドレールの芯出しと固定とを行うものが提案されている（例えば、特許文献１参照）。
【０００４】
【特許文献１】特許第２９３０９１１号公報
【発明の開示】
【発明が解決しようとする課題】
【０００５】
特許文献１記載のものでは、ガイドレールの据付時に必要な仮設材を削減することができるため、効率良くエレベータ部品の据付作業を実施することが可能となる。しかし、エレベータの釣合い重り用ガイドレールの据付に際しては、下記のような問題があった。
【０００６】
即ち、釣合い重り用ガイドレールは、レール間隔や設置方向等を所定の誤差範囲内に収めるため、レールゲージを用いて芯出しが行われ、昇降路内の上下に配置された複数のレールブラケットを介して、昇降路壁や昇降路梁等の昇降路固定体に固定される。しかし、かごの作業床に乗って作業を行う作業員とかごに連動する釣合い重りとが同じ高さになる中間階付近では、作業しようとしているレールブラケットの設置高さに釣合い重りが配置されてしまうため、当該レールブラケットの設置高さにおいて釣合い重り用ガイドレールにレールゲージを宛がうことができず、正確な芯出しが実施できないといった問題があった。
【０００７】
以下に、図１４及び図１５に基づいて上記問題点を具体的に説明する。
図１４は釣合い重りと釣合い重り用ガイドレールとの配置を示す平面図、図１５はレールゲージを用いて釣合い重り用ガイドレールを芯出しする際の平面図であり、図１４は釣合い重り用ガイドレールの据付後の状態を、図１５は釣合い重り用ガイドレールの据付時の状態を示している。図１４において、釣合い重り用ガイドレール４は、釣合い重り５を間に挟んで互いに対向するように昇降路１内に立設される。そして、釣合い重り５は、ガイドシュー１３（図１４及び図１５において図示せず）が両側の釣合い重り用ガイドレール４に係合することによってその水平方向の変位が拘束され、昇降方向が案内される。
【０００８】
上記所定の位置関係となるように釣合い重り用ガイドレール４を昇降路１内に立設するためには、例えば、図１５に示すようなレールゲージ９が用いられる。このレールゲージ９には、一端部に一方の釣合い重り用ガイドレール４に形成された２つの垂直基準面に対応するガイド面が、他端部に他方の釣合い重り用ガイドレール４に形成された２つの垂直基準面に対応するガイド面がそれぞれ設けられている。そして、釣合い重り用ガイドレール４は、レールゲージ９の上記ガイド面が各釣合い重り用ガイドレール４の対応垂直基準面に密着されて、両釣合い重り用ガイドレール４の水平方向の変位がレールゲージ９によって拘束されることにより、レール間隔や設置方向等が所定の誤差範囲内となるように配置される。
【０００９】
なお、レールゲージ９が宛がわれる釣合い重り用ガイドレール４の垂直基準面としては、寸法精度等の観点から、釣合い重り５のガイドシュー１３が実際に係合するガイド面が多く採用される。かかる場合、レールゲージ９を釣合い重り用ガイドレール４に宛がった図１５に示す状態では、平面視、レールゲージ９の一部が釣合い重り５に重なって配置されることになる。
【００１０】
したがって、かごの作業床に乗って作業を行う作業員とかごに連動する釣合い重りとが同じ高さになる中間階付近では、レールブラケットの設置高さにおいてレールゲージを使用することができず、例えば、レールゲージを使用せずにレールブラケットを固定したり、当該レールブラケットの設置位置（高さ）から離れた位置でレールゲージを使用したりしなければならなかった。このため、当該箇所においてレールゲージによる強制力の伝達が不十分となり、釣合い重り用ガイドレールの据付精度が悪化するといった問題が生じていた。
【００１１】
この発明は、上述のような課題を解決するためになされたもので、その目的は、釣合い重りと釣瓶式に懸架された作業床上でエレベータの据付工事を実施する場合に、釣合い重り用ガイドレールの据付精度を大幅に向上させることができるエレベータの据付装置及び据付方法を提供することである。
【課題を解決するための手段】
【００１２】
この発明に係るエレベータの据付装置は、エレベータの懸架手段によって釣瓶式に懸架され、昇降路内を互いに逆方向に昇降するかご及び釣合い重りと、かごに設けられたエレベータ据付用の作業床と、懸架手段及び釣合い重り間に設けられ、作業床からの操作により、作業床を昇降させることなく釣合い重りを昇降させる昇降手段と、を備えたものである。
【００１３】
また、この発明に係るエレベータの据付装置は、エレベータの懸架手段によって釣瓶式に懸架され、昇降路内を互いに逆方向に昇降するかご及び釣合い重りと、かごに設けられたエレベータ据付用の作業床と、を備え、釣合い重りは、重りを支持するとともに、その幅が一対の釣合い重り用ガイドレール間距離よりも所定距離短い釣合い重り枠と、釣合い重り枠の両側に設けられ、釣合い重り枠及び各釣合い重り用ガイドレール間に配置されるとともに、作業床からの操作により、釣合い重り枠に対して上下方向の複数の位置に配置可能な外枠と、外枠に設けられたガイド手段と、を備えたものである。
【００１４】
また、この発明に係るエレベータの据付装置は、エレベータの懸架手段によって釣瓶式に懸架され、昇降路内を互いに逆方向に昇降するかご及び釣合い重りと、かごに設けられたエレベータ据付用の作業床と、を備え、釣合い重りは、重りを支持するとともに、上下端部が釣合い重り用ガイドレールに近接して配置され、中間部の所定の範囲が、上下端部の幅よりも狭く釣合い重り用ガイドレールとの間に所定の幅の空間が形成された釣合い重り枠と、釣合い重り枠の上下端部に設けられたガイド手段と、を備えたものである。
【００１５】
この発明に係るエレベータの据付方法は、釣合い重りと釣瓶式に懸架されたかごの作業床から、レールゲージを用いて釣合い重り用ガイドレールを据え付けるエレベータの据付方法であって、釣合い重りが所定のレールブラケットの設置高さに配置された場合に、作業床からの操作により、作業床を昇降させることなく釣合い重りを上下何れかに移動させる移動ステップと、釣合い重りをレールブラケットの設置高さよりも上方又は下方に移動させた後、釣合い重りの移動を停止させる停止ステップと、レールブラケットの設置高さにおいてレールゲージを釣合い重り用ガイドレールに宛がうことにより、釣合い重り用ガイドレールの芯出しを行う芯出しステップと、を備えたものである。
【発明の効果】
【００１６】
この発明によれば、釣合い重りと釣瓶式に懸架された作業床上でエレベータの据付工事を実施する場合に、釣合い重り用ガイドレールの据付精度を大幅に向上させることができる。
【発明を実施するための最良の形態】
【００１７】
この発明をより詳細に説明するため、添付の図面に従ってこれを説明する。なお、各図中、同一又は相当する部分には同一の符号を付しており、その重複説明は適宜に簡略化ないし省略する。
【００１８】
先ず、本発明の具体的な実施の形態を説明する前に、図１に基づいてエレベータの据付時における構成について説明する。図１において、１は建築物内に設けられたエレベータ昇降路、２は昇降路１の上下に渡って配置された一対のかご用ガイドレール、３はかご用ガイドレール２間に配置されたかご、４は昇降路１の上下に渡って配置された一対の釣合い重り用ガイドレール、５は釣合い重り用ガイドレール４間に配置された釣合い重りである。なお、上記かご３と釣合い重り５とは、主ロープ６（図１において図示せず）等の懸架手段によって昇降路１内で釣瓶式に懸架されており、この主ロープ６が巻き掛けられた巻上機の駆動綱車（図示せず）が回動することによって互いに逆方向に昇降路１内を昇降する。また、７はかご３の上部に設けられたエレベータ据付用及び保守用の作業床、８は作業床７の周囲に立設された作業手摺である。
【００１９】
エレベータの据付時においては、上記のように、かご用ガイドレール２と釣合い重り用ガイドレール４とを昇降路１内に上下に渡って配置し、作業床７を備えたかご３と釣合い重り５とを釣瓶式に懸架した後、作業床７上に乗って移動する作業員によって、釣合い重り用ガイドレール４の精密な据付が行われる。なお、上記釣合い重り用ガイドレール４の据付に際しては、図１４及び図１５に基づいて先に具体的に説明したように、レールゲージ９を用いて芯出しが行われ、昇降路１内の上下に配置された複数のレールブラケット１０を介して、昇降路壁や昇降路梁等の昇降路固定体に固定される。
【００２０】
なお、中間階付近における釣合い重り用ガイドレール４の据付に関しては、以下に具体的に説明する。
【００２１】
実施の形態１．
図２はこの発明の実施の形態１におけるエレベータの据付装置を示す正面図、図３はこの発明の実施の形態１におけるエレベータの据付装置を示す要部詳細図、図４はこの発明の実施の形態１におけるエレベータ据付時の動作を説明するための正面図である。図２及び図３において、釣合い重り５には、かご３の重量や定格荷重等に基づいて全体重量が設定される重り１１と、上下方向に略四角環状を呈し、その内部に重り１１を支持する釣合い重り枠１２と、釣合い重り枠１２の上下両端部にそれぞれ設けられ、釣合い重り用ガイドレール４のガイド面に係合することによって釣合い重り５の昇降方向を案内するガイドシュー１３（ガイド手段）と、釣合い重り枠１２の上枠１２ａ上面から上方に向かって突設された支持手段１４とが備えられている。そして、上記釣合い重り５は、主ロープ６が、その端部に設けられたシャックルバネ等の端部連結具１５を介して上枠１２ａに連結されることにより、主ロープ６に弾性的に支持されている。
【００２２】
また、主ロープ６と釣合い重り５との間には、作業床７からの操作によって、上記作業床７を昇降させることなく釣合い重り５を昇降させる昇降手段が設けられている。ここで、１６は釣合い重り５の上枠１２ａから所定距離上方に配置された主ロープ６に、主ロープ６を把持することによって固定された把持器、１７は把持器１６から端部連結具１５までの主ロープ６に沿うように把持器１６及び支持手段１４間に連結され、釣合い重り５を把持器１６に対して昇降させるチェーンブロック（昇降装置）であり、上記昇降手段は、例えば、把持器１６とチェーンブロック１７とから構成される。上記把持器１６は、例えば、主ロープ６の配置に合わせて凹状の溝が形成された２枚の挟持板１６ａと、主ロープ６の両側に配置された両挟持板１６ａを締結固定することにより、挟持板１６ａを主ロープ６の任意の位置に固定するボルト等からなる締結手段１６ｂとから構成される。また、上記チェーンブロック１７は、例えば、両端部にそれぞれフック１７ａが設けられており、一方のフック１７ａが挟持板１６ａに形成された貫通孔に、他方のフック１７ａが支持手段１４に形成された貫通孔に掛止されることにより、把持器１６及び支持手段１４間に連結される。
【００２３】
次に、釣合い重り５と釣瓶式に懸架されたかご３の作業床７から、レールゲージ９を用いて釣合い重り用ガイドレール４の据付を行う際の動作について説明する。作業員が作業床７上で釣合い重り用ガイドレール４の据付作業を行っている場合、中間階付近においては、釣合い重り５が、作業しようとしているレールブラケット１０の設置高さに重なって配置されると、そのままでは、当該レールブラケット１０の設置高さにおいてレールゲージ９を用いて釣合い重り用ガイドレール４の芯出し作業を行うことができない。
【００２４】
かかる場合、作業員は、先ず、作業床７からの操作により、作業床７を昇降させることなく釣合い重り５を上下何れかに移動させる。具体的には、先ず、釣合い重り５の上枠１２ａから所定距離上方となる位置で、主ロープ６に把持器１６を取り付け、主ロープ６に取り付けた把持器１６と釣合い重り５の支持手段１４との間にチェーンブロック１７を連結する。なお、図２はかかる状態を示している。次に、作業員は、チェーンブロック１７を操作して、釣合い重り５を上方に移動させる。この時、釣合い重り５は、チェーンブロック１７によって、主ロープ６に固定された把持器１６に対して接近するように上昇するため、釣合い重り５の移動に伴ってかご３が昇降することはない。したがって、釣合い重り５が上昇しても、作業床７上の作業員の位置（高さ）が変わることはない。なお、図４はかかる状態を示し、釣合い重り５が把持器１６に対して接近するように上昇されたために、把持器１６及び端部連結具１５間の主ロープ６が弛緩された状態を示している。
【００２５】
そして、作業員は、釣合い重り５の下端部がレールブラケット１０の設置高さよりも上方に移動し、当該レールブラケット１０の設置高さにおいて、レールゲージ９を釣合い重り用ガイドレール４に宛がうために必要な空間が確保された後、チェーンブロック１７を操作して釣合い重り５の移動を停止させる。そして、釣合い重り５の停止後、当該レールブラケット１０の設置高さにおいてレールゲージ９を釣合い重り用ガイドレール４間に宛がうことにより釣合い重り用ガイドレール４の芯出しを行い、釣合い重り用ガイドレール４を昇降路固定体に固定する。
【００２６】
この発明の実施の形態１によれば、作業員が、釣合い重り５と釣瓶式に懸架されたかご３の作業床７上でエレベータの据付工事を行う場合であっても、中間階付近のレールブラケット１０の設置高さにおいて、レールゲージ９を使用して釣合い重り用ガイドレール４の芯出し及び固定作業を実施でき、その据付精度を大幅に向上させることができる。また、中間階付近における釣合い重り用ガイドレール４の据付に際し、昇降手段の構成や据付手順が簡素化されているため、僅かな労力で迅速に作業が実施でき、また、コストを抑えることも可能となる。
【００２７】
なお、上記所定のレールブラケット１０の芯出し及び固定作業が完了した場合には、上記手順とは逆の手順によって釣合い重り５を元の位置に戻し、把持器１６及びチェーンブロック１７を取り外すことによって、次工程の作業を速やかに開始することも可能である。
【００２８】
実施の形態２．
図５はこの発明の実施の形態２におけるエレベータの据付装置を示す正面図、図６はこの発明の実施の形態２におけるエレベータ据付時の動作を説明するための側面図、図７はこの発明の実施の形態２におけるエレベータ据付時の動作を説明するための正面図である。図５において、釣合い重り５には、重り１１と、釣合い重り枠１２と、ガイドシュー１３と、釣合い重り枠１２の上枠１２ａの一側面にボルト１８によって締結固定され、上枠１２ａよりも上方に突出するその上端部に主ロープ６が連結された連結板１９（連結具）と、釣合い重り枠１２の下枠１２ｂに設けられ、上記連結板１９よりも下方に配置されるとともに、釣合い重り枠１２から連結板１９が固定された一側に突出する吊り上げ具２０とが備えられている。なお、上記連結板１９は、ボルト１８を弛緩することにより、主ロープ６が連結された状態で釣合い重り５の上枠１２ａから取り外し可能に構成されている。
【００２９】
また、チェーンブロック１７は、例えば、一方のフック１７ａが連結板１９の下端部に形成された貫通孔に、他方のフック１７ａが吊り上げ具２０の突出部に形成された貫通孔に掛止されて、連結板１９と吊り上げ具２０との間に連結されることにより、釣合い重り５を、上記釣合い重り５から取り外された連結板１９に対して昇降させる。なお、実施の形態２における昇降手段は、上記連結板１９、吊り上げ具２０、チェーンブロック１７から構成される。そして、上記釣合い重り５は、主ロープ６が、その端部に設けられた端部連結具２１を介して連結板１９の上端部に連結されることにより、主ロープ６に支持されている。なお、その他の構成は実施の形態１と同様である。
【００３０】
次に、釣合い重り５と釣瓶式に懸架されたかご３の作業床７から、レールゲージ９を用いて釣合い重り用ガイドレール４の据付を行う際の動作について説明する。作業員が作業床７上で釣合い重り用ガイドレール４の据付を行う場合、中間階付近までは従来と同様に作業を実施する。この時、昇降路１内を昇降する釣合い重り５は、上枠１２ａに締結固定された連結板１９と、この連結板１９の上端部に固定された端部連結具２１とを介して、主ロープ６に支持されている。
【００３１】
そして、釣合い重り用ガイドレール４の据付作業が進行して、釣合い重り５が、作業しようとしているレールブラケット１０の設置高さに重なって配置されると、作業員は、先ず、作業床７からの操作により、作業床７を昇降させることなく釣合い重り５を上下何れかに移動させる。具体的には、先ず、上枠１２ａに締結固定された状態の連結板１９と吊り上げ具２０との間にチェーンブロック１７を連結する。なお、図５はかかる状態を示している。次に、作業員は、ボルト１８を弛緩させて連結板１９を釣合い重り枠１２の上枠１２ａから取り外すことにより、釣合い重り５を、吊り上げ具２０及びチェーンブロック１７、連結板１９、端部連結具２１を介して主ロープ６に支持させる。なお、図６はかかる状態を示したものである。
【００３２】
その後、作業員は、チェーンブロック１７を操作することにより、釣合い重り５を、釣合い重り５から取り外された連結板１９に対して接近するように上昇させる。なお、その後の動作は実施の形態１と同様であり、所定の高さまで釣合い重り５を上昇させた後に釣合い重り５を停止させ、上記レールブラケット１０の設置高さにおいてレールゲージ９を釣合い重り用ガイドレール４間に宛がうことにより、釣合い重り用ガイドレール４の芯出し及び固定作業を実施する。ここで、図７は釣合い重り５を所定の高さまで上昇させた状態を示したものである。
【００３３】
この発明の実施の形態２によれば、実施の形態１における把持器１６のような、チェーンブロック１７を連結するための部材を主ロープ６に取り付ける必要が無く、中間階付近において作業員の位置（高さ）を変えずに釣合い重り５を上昇させる際の作業性が向上する。また、その際の作業時間を短縮することも可能となる。その他は、実施の形態１と同様の効果を奏する。
【００３４】
実施の形態３．
図８はこの発明の実施の形態３におけるエレベータの据付装置を示す正面図、図９はこの発明の実施の形態３におけるエレベータの据付装置を示す側面図、図１０はこの発明の実施の形態３におけるエレベータ据付時の動作を説明するための正面図である。図８及び図９において、釣合い重り５には、重り１１と、釣合い重り枠１２と、ガイドシュー１３と、釣合い重り枠１２の下枠１２ｂに設けられ、釣合い重り枠１２から一側に水平に突出する支持板２２（支持具）と、支持板２２が突出する釣合い重り枠１２の一側において、その長手が上下方向に配置され、下端部が、支持板２２に形成された貫通孔に挿通されて支持板２２の下方に突出するネジ棒２３と、ネジ棒２３の下端部に支持板２２の下方から螺嵌され、その上面に接触する支持板２２を介して重り１１等を支持するナット２４と、下端部にネジ棒２３が設けられた連結板２５と、上枠１２ａの一側面に設けられ、主ロープ６をガイドするためのガイド孔が上下方向に形成された主ロープガイド２６とが備えられている。
【００３５】
なお、主ロープ６は、その端部が主ロープガイド２６のガイド孔に上方から挿通された後、主ロープガイド２６の下方で端部連結具２１を介して連結板２５に設けられることにより、端部連結具２１、連結板２５を介してネジ棒２３に連結される。そして、上記釣合い重り５は、主ロープ６が端部連結具２１を介して連結板２５の上端部に連結されることにより、主ロープ６に支持されている。その他の構成は実施の形態１と同様である。
【００３６】
次に、釣合い重り５と釣瓶式に懸架されたかご３の作業床７から、レールゲージ９を用いて釣合い重り用ガイドレール４の据付を行う際の動作について説明する。中間階付近において、釣合い重り５が、作業員が作業しようとしているレールブラケット１０の設置高さに重なって配置されると、作業員は、作業床７からの操作により、ナット２４をネジ棒２３にねじ込むように一側に回転させ、ナット２４をネジ棒２３に対して上方に移動させる。かかる操作により、支持板２２による支持位置が上方に移動するため、作業床７を昇降させることなく、重り１１や釣合い重り枠１２等を上方に移動させることができる。
【００３７】
そして、作業員は、釣合い重り５の下端部がレールブラケット１０の設置高さよりも上方に移動し、当該レールブラケット１０の設置高さにおいて、レールゲージ９を釣合い重り用ガイドレール４に宛がうために必要な空間が確保された後、レールゲージ９を用いて、釣合い重り用ガイドレール４の芯出し及び固定作業を行う。なお、図１０はかかる状態を示したものである。
【００３８】
この発明の実施の形態３によれば、中間階付近において釣合い重り５を上昇させるための部材が予め釣合い重り５に装備されているため、据付作業時にそれらの部材を釣合い重り５に取り付けたり取り外したりする必要が無く、作業性の向上及び作業時間の短縮を図ることが可能となる。その他は、実施の形態１と同様の効果を奏する。
【００３９】
実施の形態４．
図１１はこの発明の実施の形態４におけるエレベータの据付装置を示す正面図、図１２はこの発明の実施の形態４におけるエレベータ据付時の動作を説明するための正面図である。図１１及び図１２において、釣合い重り５には、重り１１と、上下方向に略四角環状を呈し、その内部に重り１１を支持するとともに、その幅が一対の釣合い重り用ガイドレール４間距離よりも所定の距離だけ短く設定された釣合い重り枠２７と、釣合い重り枠２７の一方の側枠２７ａに複数のボルト２８ａによって締結固定され、側枠２７ａ及び一方の釣合い重り用ガイドレール４間に配置された外枠２９と、釣合い重り枠２７の他方の側枠２７ｂに複数のボルト２８ｂによって締結固定され、側枠２７ｂ及び他方の釣合い重り用ガイドレール４間に配置された外枠３０と、外枠２９及び３０の各上下端部に設けられ、釣合い重り用ガイドレール４のガイド面に係合することによって釣合い重り５の昇降方向を案内するガイドシュー１３とが備えられている。そして、上記釣合い重り５は、主ロープ６が、その端部に設けられたシャックルバネ等の端部連結具１５を介して釣合い重り枠２７の上枠２７ｃに連結されることにより、主ロープ６に弾性的に支持されている。
【００４０】
なお、上記外枠２９及び３０には、上下方向の所定間隔毎に複数の貫通孔２９ａ及び３０ａが形成されている。また、釣合い重り枠２７の側枠２７ａ及び２７ｂには、上記外枠２９及び３０に形成された各貫通孔２９ａ及び３０ａに対応する複数のネジ孔２７ｄ及び２７ｅが上下方向に形成されている。そして、外枠２９及び３０は、ボルト２８ａ及び２８ｂを挿通する貫通孔２９ａ、３０ａと締め付けるネジ孔２７ｄ、２７ｅとの組み合わせを変えることにより、釣合い重り枠２７に対してそれぞれ上下方向の任意の位置に固定することができるように構成されている。即ち、外枠２９及び３０は、作業床７からの作業員の操作により、釣合い重り枠２７に対して上下方向の複数の位置に配置可能に構成されている。
【００４１】
次に、釣合い重り５と釣瓶式に懸架されたかご３の作業床７から、レールゲージ９を用いて、釣合い重り用ガイドレール４の据付を行う際の動作について説明する。釣合い重り用ガイドレール４の据付に際し、中間階付近までは、外枠２９及び３０が釣合い重り枠２７の上下中央部に固定された状態で作業が行われる。
【００４２】
そして、据付作業が進行し、釣合い重り５が、作業しようとしているレールブラケット１０の設置高さに重なって配置されると、作業員は、先ず、ボルト２８ａを弛緩させて、一側の外枠２９を釣合い重り枠２７の側枠２７ａから取り外す。そして、取り外した外枠２９を、作業しようとしているレールブラケット１０の設置高さよりも上方或いは下方にスライドさせ、当該レールブラケット１０の設置高さにおいて釣合い重り用ガイドレール４と側枠２７ａとの間に所定の空間を確保した状態で、外枠２９を側枠２７ａに再度固定する。また、外枠３０についても外枠２９と同様に、作業しようとしているレールブラケット１０の設置高さよりも上方或いは下方にスライドさせて、再度側枠２７ｂに固定する。図１２はかかる状態を示したものである。
【００４３】
この発明の実施の形態４によれば、釣合い重り用ガイドレール４に隣接する釣合い重り５の外枠２９及び３０を、釣合い重り枠２７に対して上下方向の複数の位置に配置可能とすることにより、中間階においても、レールゲージ９を用いて釣合い重り用ガイドレール４の据付を行うことが可能となる。また、重量物である重り１１や釣合い重り枠２７を上下動させる必要がないため、その作業性も向上する。なお、外枠２９及び３０の落下を防止するため、ボルト２８ａ及び２８ｂを弛緩する前に、外枠２９及び３０をチェーンやロープ等によって釣合い重り枠２７に連結するような手順を追加しても良い。その他は、実施の形態１と同様の構成、動作及び効果を有する。
【００４４】
実施の形態５．
図１３はこの発明の実施の形態５におけるエレベータの据付装置を示す正面図である。図１３において、釣合い重り５には、重り１１と、上下方向に略四角環状を呈し、その中空部に重り１１を支持する釣合い重り枠３１と、釣合い重り枠３１の上下両端部にそれぞれ設けられ、釣合い重り用ガイドレール４のガイド面に係合することによって釣合い重り５の昇降方向を案内するガイドシュー１３と、釣合い重り枠３１の側枠３１ａ及び３１ｂの中間部にそれぞれ設けられ、平面視略凹状を呈し、その凹状部内に、隣接する釣合い重り用ガイドレール４の頭部が配置された中間ストッパー３２及び３３とが備えられている。そして、上記釣合い重り５は、主ロープ６が、その端部に設けられたシャックルバネ等の端部連結具１５を介して釣合い重り枠３１の上枠３１ｃに連結されることにより、主ロープ６に弾性的に支持されている。
【００４５】
なお、上記釣合い重り枠３１の側枠３１ａ及び３１ｂは、ガイドシュー１３を支持するために、上下端部のみ、隣接する釣合い重り用ガイドレール４に近接するように構成されている。即ち、釣合い重り枠３１は、中間部の所定範囲の幅が、上下端部の幅よりも狭くなるように構成され、釣合い重り用ガイドレール４との間に、ゲージレール９を釣合い重り用ガイドレール４に宛がうために必要な所定の幅の空間が形成されている。
【００４６】
この発明の実施の形態５によれば、釣合い重り５が、作業しようとしているレールブラケット１０の設置高さに重なって配置された場合であっても、釣合い重り枠３１の中間部と釣合い重り用ガイドレール４との間に形成された空間を利用して、レールゲージ９を使用することが可能となる。このため、実施の形態１乃至４のように釣合い重り５の全部又は要部を移動させる必要もなく、作業効率の向上及び作業時間の短縮を図ることが可能となる。その他は、実施の形態１と同様の構成及び効果を有する。
【図面の簡単な説明】
【００４７】
【図１】エレベータの据付時における構成を示す全体図である。
【図２】この発明の実施の形態１におけるエレベータの据付装置を示す正面図である。
【図３】この発明の実施の形態１におけるエレベータの据付装置を示す要部詳細図である。
【図４】この発明の実施の形態１におけるエレベータ据付時の動作を説明するための正面図である。
【図５】この発明の実施の形態２におけるエレベータの据付装置を示す正面図である。
【図６】この発明の実施の形態２におけるエレベータ据付時の動作を説明するための側面図である。
【図７】この発明の実施の形態２におけるエレベータ据付時の動作を説明するための正面図である。
【図８】この発明の実施の形態３におけるエレベータの据付装置を示す正面図である。
【図９】この発明の実施の形態３におけるエレベータの据付装置を示す側面図である。
【図１０】この発明の実施の形態３におけるエレベータ据付時の動作を説明するための正面図である。
【図１１】この発明の実施の形態４におけるエレベータの据付装置を示す正面図である。
【図１２】この発明の実施の形態４におけるエレベータ据付時の動作を説明するための正面図である。
【図１３】この発明の実施の形態５におけるエレベータの据付装置を示す正面図である。
【図１４】釣合い重りと釣合い重り用ガイドレールとの配置を示す平面図である。
【図１５】レールゲージを用いて釣合い重り用ガイドレールを芯出しする際の平面図である。
【符号の説明】
【００４８】
１  昇降路、  ２  かご用ガイドレール、  ３  かご、
４  釣合い重り用ガイドレール、  ５  釣合い重り、  ６  主ロープ  ７  作業床、
８  作業手摺、  ９  レールゲージ、  １０  レールブラケット、  １１  重り、
１２  釣合い重り枠、  １２ａ  上枠、  １２ｂ  下枠、  １３  ガイドシュー、
１４  支持手段、  １５  端部連結具、  １６  把持器、  １６ａ  挟持板、
１６ｂ  締結手段、  １７  チェーンブロック、  １７ａ  フック、  １８  ボルト、
１９  連結板、  ２０  吊り上げ具、  ２１  端部連結具、  ２２  支持板、
２３  ネジ棒、  ２４  ナット、  ２５  連結板、  ２６  主ロープガイド、
２７  釣合い重り枠、  ２７ａ  側枠、  ２７ｂ  側枠、  ２７ｃ  上枠、
２７ｄ  ネジ孔、  ２７ｅ  ネジ孔、  ２８ａ  ボルト、  ２８ｂ  ボルト、
２９  外枠、  ２９ａ  貫通孔、  ３０  外枠、  ３０ａ  貫通孔、
３１  釣合い重り枠、  ３１ａ  側枠、  ３１ｂ  側枠、  ３１ｃ  上枠、
３２  中間ストッパー、  ３３  中間ストッパー
【図１】
2008189410.tif 000003
【図２】
2008189410.tif 000004
【図３】
2008189410.tif 000005
【図４】
2008189410.tif 000006
【図５】
2008189410.tif 000007
【図６】
2008189410.tif 000008
【図７】
2008189410.tif 000009
【図８】
2008189410.tif 000010
【図９】
2008189410.tif 000011
【図１０】
2008189410.tif 000012
【図１１】
2008189410.tif 000013
【図１２】
2008189410.tif 000014
【図１３】
2008189410.tif 000015
【図１４】
2008189410.tif 000016
【図１５】
2008189410.tif 000017